(57)【特許請求の範囲】
【請求項１】
モータと、該モータの出力軸に連結される回転羽根と、該回転羽根を収容するポンプハウジングとを備え、前記ポンプハウジングは、下端部に設けられた吸込口及び側部に設けられた吐出口を有し、前記回転羽根は、前記モータの出力軸に連結される軸部と、該軸部から放射方向に延びる板状の大径羽根と、該大径羽根と連結部を介して連結されるとともに前記吸込口に挿入される板状の小径羽根と、前記大径羽根の外周部と対向するリング部材と、該リング部材の下端部に連結される中空ディスク部材とを有し、前記回転羽根は、前記リング部材の内周部と前記大径羽根の外周部との間に溝を備え、前記大径羽根の外周面は前記回転羽根の軸部と略平行な直線形状に形成してあり、前記リング部材が上端側に当該リング部材の他の部分より薄肉に形成された薄肉部を有するとともにその上端面が前記大径羽根の上端面と略面一であることを特徴とする排水ポンプ。
【請求項２】
前記大径羽根の外周部の上隅部に面取り部が形成されたことを特徴とする請求項１記載の排水ポンプ。
【請求項３】
前記リング部材における前記薄肉部よりも下方の部位が湾曲部又は段付部とされたことを特徴とする請求項１記載の排水ポンプ。
【発明の詳細な説明】
【技術分野】
【０００１】
本発明は、空気調和機に装備される排水ポンプに関する。
【背景技術】
【０００２】
空調機の室内ユニットは、冷房運転時に熱交換器に空気中の水分が凝縮して熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたポンプ本体であるハウジング内に回転羽根を回転自在に設け、ハウジングの開口の上部にカバーを介して固定したモータによりこの回転羽根を回転させている。モータを駆動して羽根が回転すると、ドレンパン内に貯溜したドレン水は、吸込口の下端から吸込まれ、遠心力により、ハウジング内面に沿って揚水され、吐出口から外部に吐出される。
この種の排水ポンプは、例えば、本出願人に係る特許文献１、特許文献２に開示されている。
【特許文献１】特開２０００−２１３７７０号公報
【特許文献２】特開２００４−１３８０７５号公報
【発明の開示】
【発明が解決しようとする課題】
【０００３】
本出願の発明者は、種々の実験を行った結果、回転羽根のリング部材と大径羽根との連結部、殊にこの連結部における溝の存在・形状が騒音の発生に関係する知見を得た。
本発明は、該知見に基づき、運転音を低減できる排水ポンプを提供するものである。
【課題を解決するための手段】
【０００４】
本発明の排水ポンプは、基本的手段として、モータと、該モータの出力軸に連結される回転羽根と、該回転羽根を収容するポンプハウジングとを備え、前記ポンプハウジングは、下端部に設けられた吸込口及び側部に設けられた吐出口を有する。前記回転羽根は、前記モータの出力軸に連結される軸部と、該軸部から放射方向に延びる板状の大径羽根と、該大径羽根と連結部を介して連結されるとともに前記吸込口に挿入される板状の小径羽根と、前記大径羽根の外周部と対向するリング部材と、該リング部材の下端部に連結される中空ディスク部材とを有し、前記回転羽根は、前記リング部材の内周部と前記大径羽根の外周部との間に溝を備え、前記大径羽根の外周面は前記回転羽根の軸部と略平行な直線形状に形成してあり、前記リング部材が上端側に当該リング部材の他の部分より薄肉に形成された薄肉部を有するとともにその上端面が前記大径羽根の上端面と略面一であることを特徴とする。
さらに好ましくは、前記大径羽根の外周部の上隅部に面取り部が形成され、また、前記リング部材における前記薄肉部よりも下方の部位が湾曲部又は段付部とされたことを特徴とする。
【発明の効果】
【０００５】
本発明は、以上の構成を備えることにより、排水ポンプの運転時の水かき音を低減させることができる。
【発明を実施するための最良の形態】
【０００６】
図１は、本発明を適用する第１実施例の排水ポンプを示す。
全体を符号１Ａで示す排水ポンプは、電動モータ１０を有し、電動モータ１０は、ケーブル１１を介して給電される。電動モータ１０は、ポンプハウジング５０ａ（ポンプ本体）の上部に取付けられる蓋部材３０に立設された支持柱２０に取り付けられる。
【０００７】
ポンプハウジング５０ａはプラスチックでつくられ、内部にポンプ室５２ａが形成される。ポンプハウジング５０ａには、ポンプ室５２ａに連通される吸込口６０と吐出口７０とが一体に形成される。
ポンプ室５２ａ内には回転羽根１００ａが配設され、ポンプ室５２ａの開口部は蓋部材３０で覆われる。ポンプハウジング５０ａと蓋部材３０との間にはシール部材４０が挿入され、ポンプ室からのドレン水の漏水が防止される。
【０００８】
回転羽根１００ａは軸部１１０を有し、軸部１１０の穴に電動モータ１０の出力軸１２が挿入される。軸部１１０から放射方向に延びる板状の大径羽根１２０は、外周側が円筒状のリング部材１５０に接続される。
【０００９】
大径羽根１２０の下縁部は、ディスク部材１６０ａに接続される。ディスク部材１６０ａはその中心側に開口部１７０を有し、吸込口からのドレン水が小径羽根１４０ａ、連結部１３０を介して大径羽根１２０側へ送られる。
この排水ポンプ１Ａにあっては、回転羽根１００ａのディスク部材１６０ａは、水平面に対して角度β１を有し、ポンプハウジング５０ａのディスク部材に対応する底面も水平面に対して角度α１を有する。
そして、本実施例にあっては、角度α１は１５度に設定され、角度β１は１５度に設定される。
また、小径羽根１４０ａは放射方向に延びる４枚の板材で形成される。この４枚の板材の下縁部が面取り形状に形成されることもある。
【００１０】
図２は、大径羽根１２０の先端とリング部材１５０の内周部との間に形成される溝形状の種々の態様を示す説明図である。
リング部材１５０は、上縁部に形成される薄肉部１５１と内周部に形成される湾曲部１５２とを基本的な断面形状とする。そして、大径羽根１２０の先端は直線的な外周面１２０ａを有し、リング溝１５３を有する。
大径羽根１２０の先端形状は、上隅部に形成する円弧部１２０ｂ、段付部１２０ｃ、円弧溝部１２０ｄ，１２０ｅ、上隅部の面取り部１２０ｆ、面取り部と円弧溝部の組合せ部１２０ｇ、段付部と上隅部の円弧部の組合せ部１２０ｈ、段付部と面取り部の組合せ部１２０ｉ、円弧溝と面取り部の組合せ部１２０ｊ等の種々の形状が採用できる。
さらに、リング部材１５０ａの薄肉部１５１ａの高さ寸法を大径羽根１２０の高さ寸法に対して低くしたり、逆にリング部材１５０ｂの薄肉部１５１ｂを高くしたり、または、リング部材１５０ｃの上縁部の薄肉部を省略して内側への湾曲部１５１ｃを形成する等、種々の形状が採用できる。
なお、上記実施例において、α１＝５°，β１＝５°とすることによってより薄形化を図ることも可能である。
【００１１】
図３、図４は、本発明の排水ポンプと従来の排水ポンプの騒音揚程との関係を示すグラフであって、破線は従来のもの、実線は本発明のものを示す。
電源が５０Ｈｚの場合において、図３は、吐出し時の騒音と揚程の関係を示し、図４は、バランス時（排水が吐出管の出口に揚程されてはいるが、吐出されていない状態）を示す。
両者ともに、全揚程で騒音は低減し、特に低揚程の騒音の低減効果が大きい。このことは、ユーザの就寝時等の静かな環境時に排水ポンプからの騒音の低減が図られるので、効果もより顕著になる。
【図面の簡単な説明】
【００１２】
【図１】本発明の第１実施例の排水ポンプの断面図。
【図２】大径羽根の先端とリング部材の内周部との間に形成される溝形状の種々の態様を示す説明図。
【図３】本発明の排水ポンプと従来の排水ポンプの騒音揚程との関係を示すグラフ。
【図４】本発明の排水ポンプと従来の排水ポンプの騒音揚程との関係を示すグラフ。
【符号の説明】
【００１３】
１，１Ａ  排水ポンプ
１０  電動モータ
５０  ポンプハウジング
１００  回転羽根
１２０  大径羽根
１４０  小径羽根
１５０  リング部材
１６０  ディスク部材
【図１】
0004931393.tif 000002
【図２】
0004931393.tif 000003
【図３】
0004931393.tif 000004
【図４】
0004931393.tif 000005